【事件の表示】
　特願２０１３−５３２５０９「有機エレクトロルミネッセンス素子、照明装置及び表示装置」拒絶査定不服審判事件〔平成２５年　３月１４日国際公開、ＷＯ２０１３／０３５４９０〕について、次のとおり審決する。
【結　論】
　本件審判の請求は、成り立たない。
【理　由】
１　手続の経緯
　本願は、２０１２年８月１０日を国際出願日（優先権主張　平成２３年９月７日）とする出願であって、平成２８年１月２８日付けで拒絶の理由が通知され、同年３月２３日に意見書が提出されるとともに手続補正がなされ、同年８月１５日付けで拒絶査定がなされ、これに対して、同年１１月９日に拒絶査定不服審判が請求されたものである。
　
２　本願発明
　本願の請求項１ないし１５に係る発明は、平成２８年３月２３日になされた手続補正によって補正された特許請求の範囲の請求項１ないし１５に記載された事項によって特定されるものであるところ、その請求項１に係る発明は、次のとおりのものである。
　
「支持基板上に、カソード、発光層及び該カソードの外側（発光層と反対側）に隣接して隣接層を有し、該カソードは金属を含有する層から成り透明で、かつ膜厚が２ｎｍ以上、１０ｎｍ未満であり、該カソードの主成分が銀であり、該カソードの波長５５０ｎｍでの光透過率が５０％以上であり、該隣接層は屈折率が１．６以上、１．９５以下、膜厚が１５ｎｍ以上、１８０ｎｍ以下で、かつ光散乱粒子を含有しないことを特徴とする有機エレクトロルミネッセンス素子。」（以下「本願発明」という。）
　
３　原査定の拒絶の理由
　原査定の拒絶の理由は、この出願の請求項１ないし１５に係る発明は、その出願前に日本国内又は外国において、頒布された下記の刊行物に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許を受けることができない、というものである。
　
　引用文献１．特開２０１０−１０２９８３号公報
　引用文献２．国際公開第２０１０／０８９６８３号
　引用文献３．特開２０１０−９８２２３号公報
　引用文献４．特開２００１−１０２１７５号公報
　引用文献５．特開２０１０−４０２１１号公報
　その拒絶の理由の詳細は、概ね、以下のとおりである。
　本願発明と引用発明とは、前者は、透明なカソードの膜厚が、２ｎｍ以上１０ｎｍ未満であり、カソードの主成分が銀であり、カソードの波長５５０ｎｍでの光透過率が５０％以上であるのに対して、後者は、陰極層１２６の膜厚を薄くすることのみ記載されている点で相違し、その余の点は一致する。
　上記相違点について検討する。
　引用文献２の第３頁第３１行目−第４頁第１８行目に、対向電極（Ａｇ）を透明にするため（すなわち、波長３８０ｎｍ〜７８０ｎｍの可視光領域の光透過率を高めるため）（また、本願明細書の段落［００３９］の「透明とは、波長５５０ｎｍでの光透過率が５０％以上であることをいう。」も参照されたい。）、膜厚を５〜１５ｎｍとすることが記載されているように、金属（Ａｇ等）よりなる電極を透明にするために、膜厚を２ｎｍ以上１０ｎｍ未満の範囲内とすることは周知の事項である。
　そうすると、引用発明の「半透明導電材料よりなる陰極層１２６」の膜厚を２ｎｍ以上１０ｎｍ未満とし、カソードの主成分が銀、カソードの波長５５０ｎｍでの光透過率が５０％以上の構成とすることは、当業者が容易になし得る事項である。
　したがって、請求項１に係る発明は引用文献１−２に記載された発明に基づいて当業者が容易に発明をすることができたものである。
４　引用例の記載事項
（１）引用例
　原査定の拒絶の理由に引用文献１として引用され、本願の優先権主張の日（以下「優先日」という。）前に頒布された刊行物である特開２０１０−１０２９８３号公報（以下「引用例」という。）には、次の事項が図とともに記載されている（下線は審決で付した。以下同じ。）。
　
　ア　「【特許請求の範囲】
【請求項１】
　支持基板と、
　前記支持基板上に形成され、電荷輸送材料を含有し、正孔と電子とを結合させて発光する有機機能層と、
　前記支持基板上であって、前記有機機能層と空隙を介して併設される絶縁層と、
　前記有機機能層上から前記空隙を介して前記絶縁層上にまで連続して形成され、モル質量が前記電荷輸送材料のモル質量よりも小さい分子性物質を含む有機キャッピング層と、
を備える有機ＥＬ素子。
【請求項２】
　前記分子性物質のモル質量が４２９ｇ／ｍｏｌ以下である請求項１に記載の有機ＥＬ素子。
【請求項３】
　前記分子性物質がナフタレン、オキサジアゾール誘導体、オキサゾール誘導体、オリゴフェニル誘導体、リチウム錯体及び亜鉛錯体、並びにナフタレンにさらに別の環がオルト縮合又はペリ縮合したナフタレン誘導体からなる群より選択される請求項１又は請求項２に記載の有機ＥＬ素子。
【請求項４】
　前記有機キャッピング層が前記分子性物質を２５重量％以上含む請求項１ないし請求項３のいずれかに記載の有機ＥＬ素子。
【請求項５】
　前記有機キャッピング層の融点が１７５℃以下である請求項１ないし請求項４のいずれかに記載の有機ＥＬ素子。
【請求項６】
　前記有機キャッピング層が混合物である請求項１ないし請求項５のいずれかに記載の有機ＥＬ素子。
【請求項７】
　前記有機キャッピング層の吸収ピーク波長が３２１ｎｍ以下である請求項１ないし請求項６のいずれかに記載の有機ＥＬ素子。
【請求項８】
　前記有機キャッピング層のエネルギーギャップが３．３ｅＶ以上である請求項１ないし請求項７のいずれかに記載の有機ＥＬ素子。
【請求項９】
　前記有機キャッピング層が電子輸送性材料からなる請求項１ないし請求項８のいずれかに記載の有機ＥＬ素子。
【請求項１０】
　支持基板と、
　前記支持基板上に形成される第１電極層と、
　前記第１電極層上に形成され、電荷輸送材料を含有し、正孔と電子とを結合させて発光する有機機能層と、
　前記有機機能層を被覆する第２電極層と、
　モル質量が前記有機機能層を構成する電荷輸送材料のモル質量よりも小さい分子性物質を含む有機キャッピング層と、
を備え、
　平面視して前記有機機能層と前記第２電極層とが重なる領域に凹部が形成され、前記有機キャッピング層が前記凹部を充填する有機ＥＬ素子。」
　
　イ　「【技術分野】
【０００１】
　本発明は、有機ＥＬ素子に関する。
【背景技術】
【０００２】
　特許文献１，２に示すように、一対の電極層で挟まれる発光層を含む有機機能層を支持基板の主面に設け、光の取り出し効率を高めるための有機キャッピング層をさらにその上に重ねて設けた有機ＥＬ素子が提案されている。特許文献１，２は、有機キャッピング層をα−ＮＰＤ、ＴＰＤ又はｍ−ＭＴＤＡＴＡで構成すること、有機キャッピング層の有機材料のガラス転移点Ｔｇを有機機能層を構成する各層の有機材料よりも低くし、有機キャッピング層の有機材料を蒸着した後に有機機能層を流動化させずに有機キャッピング層を流動化させることに言及している。」
　
　ウ　「【発明を実施するための最良の形態】
【００１９】
　＜１　有機ＥＬ素子１０２の構造＞
　（１．１）有機ＥＬ素子１０２の概略；
　図１及び図２は、本発明の実施形態の有機ＥＬ素子１０２の模式図である。図１は、有機ＥＬ素子１０２の平面図、図２は、有機ＥＬ素子１０２の断面図となっている。図１及び図２に示す有機ＥＬ素子１０２は、画像を表示する画像表示装置に用いられる。
【００２０】
　図１及び図２に示すように、
有機ＥＬ素子１０２は、支持基板１０４の上面に複数の層を備える積層体１０６を設け
　・・・略・・・
【００２４】
　＜２　積層体１０６＞
　（２．１）積層体１０６の概略；
　図３は、支持基板１０４及び積層体１０６を拡大した模式図である。図３は、支持基板１０４及び積層体１０６の断面図となっている。なお、図３に示す積層体１０６の積層構造は一例に過ぎず、必要に応じて変形される。特に、後述する有機キャッピング層１２８と支持基板１０４との間の積層構造は、有機電界発光装置１０２の仕様に応じて変形される。
【００２５】
　図３に示すように、
積層体１０６は、駆動信号を伝達する回路層１１２と、回路層１１２を保護する絶縁保護膜１１４と、回路層１１２及び絶縁保護膜１１４による凹凸を緩和する平坦化層１１６と、正孔を供給する陽極層１１８と、正孔を輸送する正孔輸送層１２０と、正孔と電子とを結合させて光を発する発光層１２２と、電子を輸送する電子輸送層１２４と、電子を供給する陰極層１２６と、界面における光の反射を抑制し下の層を保護する有機キャッピング層１２８と、下の層を保護する無機パッシベーション層１３０と、陽極層１１８と陰極層１２６とを絶縁する絶縁層１３２と、陰極層１２６と回路層１１２とを導通させる陰極コンタクト層１３４と、陰極層１２６を分割する隔壁１３６とを備える
　エ　「【００２９】
　（２．３）陽極層１１８及び陰極コンタクト層１３４；
　第１電極層としての陽極層１１８は、平坦化層１１６の上面に設けられる。陰極コンタクト層１３４は、陰極コンタクトホール１１６０の底に露出している回路層１１２から陰極コンタクトホール１１６０の内壁を経て平坦化層１１６の上面の陰極コンタクトホール１１６０を囲む領域までの範囲に延在する。陽極層１１８と陰極コンタクト層１３４との間には間隙がある。このため、陽極層１１８と陰極コンタクト層１３４とは絶縁される。
【００３０】
　陽極層１１８及び陰極コンタクト層１３４は、例えば、Ａｌ（アルミニウム）、Ａｇ（銀）又はＲｈ（ロジウム）等の金属を主成分とする合金等の導電材料で構成される。陽極層１１８の可視光に対する光反射率は、例えば３０％以上１００％以下となるように設定されている。」
　
　オ　「【００３２】
　（２．５）正孔輸送層１２０、発光層１２２及び電子輸送層１２４（有機機能層１３８）；
　
正孔輸送層１２０、発光層１２２及び電子輸送層１２４は、陽極層１１８の上面にこの順序で下側から上側へ向かって重ねて設けられる
【００３３】
　
正孔輸送層１２０、発光層１２２及び電子輸送層１２４からなり
有機機能層１３８
【００３４】
　正孔輸送層１２０は、例えば、α−ＮＰＤ（４，４′−ビス［Ｎ−（１−ナフチル）−Ｎ−フェニル−アミノ］ビフェニル）等の芳香族ジアミン化合物、又はポリエチレンジオキシチオフェン等の正孔輸送性の材料で構成される。
【００３５】
　電子輸送層１２４は、例えば、Ａｌｑ3、ビス（２−メチル−８−キノリノラト）−４−（フェニルフェノラト）アルミニウム、オキサゾール誘導体、オキサジアゾール誘導体、トリアゾール誘導体、イミダゾール誘導体、テトラヒドロイミダゾール誘導体、イミダゾロン誘導体、スチルベン誘導体又はピラゾリン誘導体等の電子輸送性の材料で構成される。」
　
　カ　「【００４３】
　（２．７）陰極層１２６、有機キャッピング層１２８及び無機パッシベーション層１３０；
　第２電極層としての
陰極層１２６、有機キャッピング層１２８及び無機パッシベーション層１３０は、
支持基板１０４、回路層１１２、絶縁保護膜１１４、平坦化層１１６、陽極層１１８、陰極コンタクト層１３４、絶縁層１３２、隔壁１３６及び有機機能層１３８からなる構造体の上面にこの順序で下側から上側に重ねて設けられる
【００４４】
　陰極層１２６は、発光領域１８２において有機機能層１３８の上面に接触する。これにより、有機機能層１３８を挟んで陽極層１１８と陰極層１２６とが対向する発光体が形成される。また、陰極層１２６は、陰極コンタクト位置１８３において陰極コンタクト層１３４の上面に接触する。これにより、回路層１１２から陰極コンタクト層１３４を経て陰極層１２６へ駆動電流が供給される。
【００４５】
　
陰極層１２６は、
仕事関数が小さい半透明導電材料で構成される
【００４６】
　
半透明導電材料で陰極層１２６を構成する場合、陰極層１２６の膜厚は、光を透過しやすくするために薄くすることが望ましく、例えば、１０ｎｍ以上２００ｎｍ以下に設定されている。有機キャッピング層１２８の層厚は、概ね、５０ｎｍ以上５００ｎｍ以下に設定されている
　キ　「【００４７】
　（２．８）有機キャッピング層１２８を構成する有機材料；
　・・・略・・・
【００５７】
　（ｅ）導電型；
　有機キャッピング層１２８は、電子輸送層と同様の電子輸送性の物質からなる有機材料で構成することが望ましい。これにより、有機キャッピング層１２８の有機材料が電子輸送層１２４へ拡散しても電子輸送層１２４の電子移動度を低下させたり正孔の陰極への漏洩を助長したりすることがないので、有機ＥＬ素子１０２の発光効率の低下及び駆動電圧の上昇が抑制される。このような電子輸送性の物質は、共役電子系を有する分子からなる物質に多く存在する。
【００５８】
　なお、有機機能層１３８が電子輸送層を備えない層構造を採用したとしても、発光層の陰極層寄りの部分は電子輸送性を有していなければならない。このため、有機機能層１３８が電子輸送層を備えない層構造を採用したとしても、電子輸送性の物質からなる有機材料で有機キャッピング層１２８を構成すれば、有機キャッピング層の有機材料が電子輸送性を有する部分へ拡散しても、有機ＥＬ素子１０２の発光効率の低下及び駆動電圧の上昇が抑制される。
【００５９】
　有機キャッピング層１２８を電子輸送性の物質からなる有機材料で構成することは、陰極層１２６の光透過性を向上するために陰極層１２６を非常に薄く、例えば、陰極層１２６の層厚を１５ｎｍ以上２０ｎｍ以下にした場合に特に意義を有する。陰極層１２６を薄くすると、有機キャッピング層の有機材料が電子輸送層１２４へ拡散しやすくなるからである。
　・・・略・・・
【００６４】
　（ｇ）
有機キャッピング層１２８の有機材料に含まれる分子性物質の望ましい例
　有機キャッピング層１２８の有機材料に含まれるモル質量が４２９ｇ／ｍｏｌ以下、融点Ｔｍが１７５℃以下で電子輸送性の分子性物質の望ましい例を説明する。
【００６５】
　当該分子性物質の第１の例は、オキサジアゾール誘導体である。望ましいオキサジアゾール誘導体には、化学式（１）に示す融点Ｔｍが１６８℃、モル質量が２９８．３ｇ／ｍｏｌの２−（４−ビフェニル）−５−フェニル−１，３，４−オキサジアゾール、化学式（２）に示す融点Ｔｍが１５０℃、モル質量が３６４．４ｇ／ｍｏｌの２，５−ビス（４′−ジエチルアミノフェニル）−１，３，４−オキサジアゾール、化学式（３）に示す融点Ｔｍが１３９℃、モル質量が２２２．２ｇ／ｍｏｌ、吸収ピーク波長２８２ｎｍの２，５−ジフェニル−１，３，４−オキサジアゾール、化学式（４）に示す融点Ｔｍが１３９℃、モル質量が３５４．４ｇ／ｍｏｌ、吸収ピーク波長３０５ｎｍの２−（４−ｔｅｒｔ−ブチルフェニル）−５−（４−ビフェニル）−１，３，４−オキサジアゾール（ブチルＰＢＤ）等がある。
　・・・略・・・
【００７６】
　
当該分子性物質の第５の例は、リチウム錯体である。望ましいリチウム錯体には、化学式（８）に示す
（８−ヒドロキシキノリナト）リチウム等がある
【００７７】
【化８】
　・・・略・・・
【００８１】
　（ｈ）結晶化しやすさ；
　有機キャッピング層１２８の有機材料は、結晶化しにくい有機材料であることが望ましい。有機キャッピング層１２８の内に大きな結晶が生じると、かかる結晶中を物質が通過しやすくなるので、有機キャッピング層１２８の封止性能が低下する傾向が見られるからである。有機キャッピング層１２８の封止性能が低下すると、ＣＶＤ法で用いられるプラズマに含まれる化学的反応性の高いラジカル種又は原料ガスが、陰極層１２６、電子輸送層１２４、発光層１２２、正孔輸送層１２０又は陽極層１１８の少なくとも一部に侵入し、これらの層の機能を損なう可能性がある。また、有機ＥＬ素子１０２の使用時に、有機ＥＬ素子１０２を構成する部材からのアウトガス、水分又は酸素等が、陰極層１２６から陽極層１１８の少なくとも一部に侵入し、これらの層の機能を損なう可能性がある。また、有機キャッピング層１２８の中に大きな結晶が生じると、結晶で光が散乱し、有機キャッピング層１２８の光の透過性が低下する傾向が見られるからである。したがって、有機キャッピング層１２８の有機材料は、結晶が小さい微結晶となりやすい有機材料であることが望ましく、結晶がない非晶質となりやすい有機材料であることが望ましい。」
　ク　「【００９２】
　＜３　有機ＥＬ素子１０２の製造＞
　図９は、有機ＥＬ素子１０２の製造の流れを示すフローチャートである。なお、以下で説明する各層の形成は、公知のＰＶＤ（Physical Vapor Deposition）法・ＣＶＤ法・スピンコート法・インクジェット法等の成膜技術及びフォトリソグラフィ法等のパターニング技術を材料に応じて適宜採用して行う。
【００９３】
　図９に示すように、有機ＥＬ素子１０２の製造にあたっては、まず、有機機能層１３８を挟んで陽極層１１８と陰極層１２６とが対向する積層構造体を支持基板１０４の上に作製する。
【００９４】
　当該積層構造体の作製にあたっては、まず、回路層１１２、絶縁保護膜１１４及び平坦化層１１６を順次形成する（ステップＳ１０１〜Ｓ１０３）。続いて、陽極層１１８及び陰極コンタクト層１３４を形成する（ステップＳ１０４）。陽極層１１８及び陰極コンタクト層１３４を別々に形成してもよい。さらに続いて、絶縁層１３２及び隔壁１３６を順次形成する（ステップＳ１０５，Ｓ１０６）。最後に、有機機能層１３８及び陰極層１２６を順次形成する（ステップＳ１０７，１０８）。
【００９５】
　このようにして作製した積層構造体の上面に有機キャッピング層１２８の有機材料を蒸着する（ステップＳ１０９）。有機キャッピング層１２８の有機材料の融点Ｔｍが低い場合、有機材料を蒸着源から飛散させるときに有機材料を融解させることは容易である。また、有機キャッピング層１２８の有機材料の融点Ｔｍが低い場合、有機材料の飛散が固体からの昇華ではなく液体からの蒸発により行われるので、有機材料を収容するルツボの内部の温度が均一になって有機材料の突沸が抑制される。有機材料の突沸が抑制されることには、蒸着膜の膜厚にバラツキが生じることや蒸着膜にピンホールが生じることが抑制されるという利点がある。さらに、有機キャッピング層１２８の有機材料の融点Ｔｍが低い場合、有機材料の飛散が液体からの蒸発により行われるので、有機材料を収容するルツボの内部の材料の分布が均一になって、長時間連続で蒸着を行っても蒸着レートが不安定にならない。蒸着レートが安定していることには、蒸着膜の膜厚が設計からずれたり膜厚にバラツキが生じることが抑制されるという利点がある。
【００９６】
　続いて、このようにして得られた蒸着膜を流動化又は融解させる（ステップＳ１１０）。蒸着膜を流動化又は融解させるときには、有機機能層１３８を構成する各層を流動化及び融解させないようにする。すなわち、仕掛品を、有機キャッピング層１２８の有機材料の融点Ｔｍ又はガラス転移点Ｔｇ以上の温度であって、有機機能層１３８を構成する各層の有機材料の融点Ｔｍ及びガラス転移点Ｔｇより低い温度に加熱する。これにより、有機機能層１３８を熱で損傷することなく、異物の包理や層間応力の緩和を行うことができる。このことは、有機機能層１３８の周辺にある積層構造の乱れを緩和し、発光体の内部に残留する酸素で発光体を構成する物質が酸化されて発光体を劣化することに役立つ。
【００９７】
　さらに続いて、蒸着膜を再び固化して有機キャッピング層１２８を完成する（ステップＳ１１１）。」
　ケ　「【図１】
【図２】
【図３】
」
　
　コ　上記アないしケからみて、引用例には、以下の発明が記載されているものと認められる。
「支持基板１０４の上面に複数の層を備える積層体１０６を設けた有機ＥＬ素子１０２であって、
　積層体１０６は、駆動信号を伝達する回路層１１２と、回路層１１２を保護する絶縁保護膜１１４と、回路層１１２及び絶縁保護膜１１４による凹凸を緩和する平坦化層１１６と、正孔を供給する陽極層１１８と、正孔を輸送する正孔輸送層１２０と、正孔と電子とを結合させて光を発する発光層１２２と、電子を輸送する電子輸送層１２４と、電子を供給する陰極層１２６と、界面における光の反射を抑制し下の層を保護する有機キャッピング層１２８と、下の層を保護する無機パッシベーション層１３０と、陽極層１１８と陰極層１２６とを絶縁する絶縁層１３２と、陰極層１２６と回路層１１２とを導通させる陰極コンタクト層１３４と、陰極層１２６を分割する隔壁１３６とを備え、
　有機機能層１３８を構成する正孔輸送層１２０、発光層１２２及び電子輸送層１２４は、陽極層１１８の上面にこの順序で下側から上側へ向かって重ねて設けられ、
　陰極層１２６、有機キャッピング層１２８及び無機パッシベーション層１３０は、支持基板１０４、回路層１１２、絶縁保護膜１１４、平坦化層１１６、陽極層１１８、陰極コンタクト層１３４、絶縁層１３２、隔壁１３６及び有機機能層１３８からなる構造体の上面にこの順序で下側から上側に重ねて設けられ、
　陰極層１２６は、仕事関数が小さい半透明導電材料で構成され、半透明導電材料で陰極層１２６を構成する場合、陰極層１２６の膜厚は、光を透過しやすくするために薄くすることが望ましく、例えば、１０ｎｍ以上２００ｎｍ以下に設定され、有機キャッピング層１２８の層厚は、概ね、５０ｎｍ以上５００ｎｍ以下に設定され、
　有機キャッピング層１２８の有機材料に含まれる分子性物質は、下記化学式（８）に示す（８−ヒドロキシキノリナト）リチウムである、
　有機ＥＬ素子１０２。
　
【化８】
」（以下「引用発明」という。）
　
（２）周知の事項
　ア　国際公開第２０１０／０８９６８３号
　原査定で引用文献２として引用され、本願の優先日前に電気通信回線を通じて公衆に利用可能となった国際公開第２０１０／０８９６８３号（以下、「周知例１」という。）には次の記載がある。
　（ア）「FIELD OF THE INVENTION
　
　This invention 
relates to an electroluminescent device
organic electroluminescent layer
　（日本語訳）
　「技術分野
　
　本発明は、
エレクトロルミネッセンス装置に関する
有機エレクトロルミネッセンス層
　（イ）「In the context of the invention the notion counter electrode denotes an electrode away from the substrate. It is usually non-transparent and made of Al or Ag layers of sufficient thickness such that the electrode is reflecting (typically 100 nm for Al and 100-200 nm for Ag). 
It is usually the cathode, but it can also be biased as the anode. For top-emitting or transparent electroluminescent devices the counter electrode has to be transparent. Transparent counter electrodes are made of thin Ag or Al layers (5-15 nm) or of ITO layers deposited on top of the other previously deposited layers.
　In the context of the invention an electroluminescent device with a combination of a transparent substrate, a transparent substrate electrode and a non- transparent counter electrode (usually reflective), emitting the light through the substrate is called bottom-emitting. In case of electroluminescent device comprising further electrodes, in certain embodiments both substrate and counter electrodes could be either both anodes or both cathodes, when the inner electrodes as driven as cathodes or anodes. Furthermore, in the context of the invention an electroluminescent device with a combination of a non-transparent substrate electrode and a transparent counter electrode, emitting the light through the counter electrode is called top-emitting.
　In the context of the invention the notion transparent electroluminescent device denotes an electroluminescent device, where the substrate, the substrate electrode, the counter electrode and the encapsulation means are transparent. Here the electroluminescent device is both, bottom and top-emitting. 
In the context of the invention a layer, substrate or electrode is called transparent if the transmission of light in the visible range is more than 50%
　（日本語訳）
　「本発明において、対向電極とは、基板から離れた電極を意味する。通常は非透明であり、Ａｌ又はＡｇ層で十分な厚み（通常、Ａｌについて１００ｎｍ、Ａｇについて１００〜２００ｎｍ）を有し、該電極は反射性である。
通常はカソードであるが、またアノードとしてバイアスされることもできる。上部発光又は透明エレクトロルミネッセンス装置については、対向電極は透明である必要がある。透明対向電極は、Ａｇ又はＡｌ層（５〜１５ｎｍ）又はＩＴＯ層からなり、他の既に堆積された層の上に堆積される
　本発明において、透明基板、透明基板電極及び非透明対向電極（通常反射性）を持つエレクトロルミネッセンス装置は、基板を通じて発光し、かかる基板は「ボトム発光」といわれる。さらなる電極を含むエレクトロルミネッセンス装置の場合において、ひとつの実施態様では、当該内部電極がカソード又はアノードとして駆動される場合には基板及び対向電極ともアノード又はカソードになり得る。さらに、本発明において、非透明基板及び透明対向電極を持つエレクトロルミネッセンス装置は対向電極を通じて発光し、「トップ発光」といわれる。
　本発明において、透明エレクトロルミネッセンス装置とは、エレクトロルミネッセンス装置であって、基板、基板電極、対向電極及び被包手段が透明であるものを意味する。ここで、エレクトロルミネッセンス装置は、ボトム発光でもあり、トップ発光でもある。
本発明において、層、基板又は電極は、可視領域の光の透過度が５０％よりも高いものを意味し、残りは吸収されるか反射される
　イ　国際公開第２０１０／１１３０８４号
　本願の優先日前に電気通信回線を通じて公衆に利用可能となった国際公開第２０１０／１１３０８４号（以下、「周知例２」という。）には次の記載がある。
　（ア）「FIELD OF THE INVENTION
　
　The invention relates to an OLED comprising a stack of layers, the stack comprising a light emitting layer arranged between a cathode layer and an anode layer, the stack being arranged on a substrate.
　The invention further relates to a patterned OLED and to a light source.」（１頁５行ないし９行、なお、行数は左欄に表示された行数から数えている。以下同様。）
　（日本語訳）
　「技術分野
　
　本発明は、層スタックを含むＯＬＥＤに関し、前記スタックは、カソード層及びアノード層間に設けられた発光ダイオードを含み、前記スタックは基板上に設けられる。本発明はさらに、パターン化ＯＬＥＤ及び光源に関する。」
　（イ）「In a preferred embodiment according to the invention, the cathode layer and the buckling reducing layer are at least partially transparent to visible light. 
When the cathode layer and the buckling reducing layer are transparent to visible light, the OLED can emit light in the direction of the cathode
　
The cathode layer in a transparent OLED is typically a thin silver layer, e.g., 10 nm of silver
　（日本語訳）
　「本発明の好ましい実施態様において、前記カソード層及び前記バックリング減少層は少なくとも可視光について少なくとも部分的に透明である。
前記カソード層
は可視光について透明であり、ＯＬＥＤは前記カソードの方向に発光することができる
　
透明ＯＬＥＤの前記カソード層は通常薄い例えば１０ｎｍの銀層である
　ウ　特開２００６−３３２６５３号公報
　本願の優先日前に頒布された刊行物である特開２００６−３３２６５３号公報（以下、「周知例３」という。）には次の記載がある。
　（ア）「【技術分野】
【０００１】
　本開示は、さまざまな例示的実施形態において、薄い（薄層）金属−有機材料混合層（ＭＯＭＬ）を備えた表示デバイスに関する。薄い金属−有機材料混合層は、有機マトリックス材料中に金属粒子を含む。薄い金属−有機材料混合層は、特に
有機発光デバイス（ＯＬＥＤ）
　（イ）「【００４７】
　
実質的に透明な陰極は
Ａｇ
などの、約２ｅＶから約４ｅＶの範囲の仕事関数を有する金属
例えば、約１０Åから約２００Åの、実施形態では、約３０Åから約１００Åの厚さを有する、非常に薄い実質的に透明な金属層を備えることができる
　エ　特開２００６−２５２８４３号公報
　本願の優先日前に頒布された刊行物である特開２００６−２５２８４３号公報（以下、「周知例４」という。）には次の記載がある。
　（ア）「【技術分野】
【０００１】
　本発明は、新規の
有機エレクトロルミネッセンス素子
　（イ）「【０００４】
　Ｔｏｐ−Ｅｍ型有機エレクトロルミネッセンス素子において、上部電極は十分な光透過性を有する必要がある。そのため、一般に、可視光に対して透過率が大きく、かつ大きな電気伝導性を示す物質からなる透明導電性を有する上部電極として使用する。
透明導電性を有する陰極には、
Ａｇ
の金属薄膜層（一般に、膜厚は５ｎｍ以下）
　
　オ　周知例１ないし４から把握される周知技術
　上記アないしエからみて、本願の優先日前に、「有機エレクトロルミネッセンス素子において、カソードとして膜厚が３〜１０ｎｍ程度の透明な銀薄膜層を用いること」は周知（以下、「周知技術」という。）であったと認められる。
　
５　対比
　本願発明と引用発明とを対比する。
（１）引用発明の「支持基板１０４」、「陰極層１２６」、「発光層１２２」及び「有機ＥＬ素子１０２」は、それぞれ本願発明の「支持基板」、「カソード」、「発光層」及び「有機エレクトロルミネッセンス素子」に相当する。
　
（２）引用発明において、「支持基板１０４」（本願発明の「支持基板」に相当。以下「」に続く（）は対応する本願発明の用語を表す。）の上面に複数の層を備える積層体１０６を設け、該積層体１０６は、「発光層１２２」（発光層）、「陰極層１２６」（カソード）、「有機キャッピング層１２８」をその順に備えており、該「有機キャッピング層１２８」は、「陰極層１２６」（カソード）の上側に重ねて、すなわち上側に隣接して設けられている。そうすると、引用発明の「有機キャッピング層」は、本願発明の「カソードの外側（発光層と反対側）に隣接し」た「隣接層」に相当するといえる。してみると、引用発明は、本願発明の「支持基板上に、カソード、発光層及び該カソードの外側（発光層と反対側）に隣接して隣接層を有し」との構成を備える。
　
（３）ア　本願の明細書の【０４０４】【表２】には、有機ＥＬ素子Ｎｏ．４４における隣接層の材料がＬｉｑ（「リチウムキノラート」あるいは引用例での呼称である「（８−ヒドロキシキノリナト）リチウム」ともいう。）であり、このＬｉｑからなる隣接層の屈折率が「１．７２」であることが記載されている。また、本願の明細書の【０３７２】及び【０３７３】には、隣接層がＬｉｑを蒸着することにより形成されていることが記載されている。
　イ　引用発明の「有機キャッピング層」（隣接層）は、その有機材料に含まれる分子性物質が化学式（８）に示す（８−ヒドロキシキノリナト）リチウムであり、引用例１の【００９２】ないし【００９７】（上記４（１）ク）の記載からみて、「有機キャッピング層」（隣接層）が（８−ヒドロキシキノリナト）リチウムを蒸着することにより形成されているといえるから、上記アの事項をも考慮すれば、「有機キャッピング層」（隣接層）の屈折率は１．７２といえる。そうすると、引用発明は、本願発明の「隣接層は屈折率が１．６以上、１．９５以下」との構成を備える。
　
（４）引用発明の「有機キャッピング層」（隣接層）は、膜厚が５０ｎｍ以上５００ｎｍ以下に設定され、本願発明の「隣接層」は、「膜厚が１５ｎｍ以上、１８０ｎｍ以下で」あるから、引用発明の「有機キャッピング層」（隣接層）と、本願発明の「隣接層」とは、「膜厚が５０ｎｍ以上、１８０ｎｍ以下」である点で一致する。
　
（５）引用例１には、有機キャッピング層に粒子を含有することについての記載はなく、また、【００８１】（上記４（１）キ）にも、有機キャッピング層に用いる有機材料として、結晶化しにくい有機材料が好ましいことが明示され、粒子を含有するものとは解されないから、引用発明は、本願発明の「隣接層は」「光散乱粒子を含有しない」との構成を備える。
　
（６）上記（１）ないし（５）から、本願発明と引用発明とは、
「支持基板上に、カソード、発光層及び該カソードの外側（発光層と反対側）に隣接して隣接層を有し、該隣接層は屈折率が１．６以上、１．９５以下であり、膜厚が５０ｎｍ以上、１８０ｎｍ以下で、かつ光散乱粒子を含有しない、
　有機エレクトロルミネッセンス素子。」である点で一致し、次の点で一応相違する。
　
　相違点１：
　本願発明では、「カソードは金属を含有する層から成り透明で、かつ膜厚が２ｎｍ以上、１０ｎｍ未満であり、該カソードの主成分が銀であり、該カソードの波長５５０ｎｍでの光透過率が５０％以上であ」るのに対し、
　引用発明では、陰極層１２６（カソード）は、仕事関数が小さい半透明導電材料で構成され、膜厚が光を透過しやすくするために薄くすることが望ましく、例えば、１０ｎｍ以上２００ｎｍ以下に設定されているものの、陰極層が銀を含有するかどうか、また、波長５５０ｎｍでの光透過率が５０％以上であるかどうかは明らかでない点。
　
　相違点２：
　本願発明では、「隣接層」の「膜厚が１５ｎｍ以上、１８０ｎｍ以下である」のに対し、
　引用発明では、「有機キャッピング層１２８」（隣接層）の膜厚は５０ｎｍ以上５００ｎｍ以下である点。
　
６　判断
（１）上記相違点１について検討する。
　ア　上記４（２）で示したように、有機エレクトロルミネッセンス素子において、カソードとして膜厚が３〜１０ｎｍ程度の透明な銀薄膜層を用いることは周知技術である。また、周知例１（上記４（２）ア（イ））には、「透明」とは、可視光の透過度が５０％より高いものであることが記載されている。
　イ　引用例の【００５９】（上記４（１）キ）には、「陰極層１２６の光透過性を向上するために陰極層１２６を非常に薄く、例えば、陰極層１２６の層厚を１５ｎｍ以上２０ｎｍ以下にした場合に特に意義を有する。陰極層１２６を薄くすると、有機キャッピング層の有機材料が電子輸送層１２４へ拡散しやすくなる」と記載されている。これに対し、引用例の【００５７】及び【００５８】（上記４（１）キ）には、有機キャッピング層１２８は、電子輸送層と同様の電子輸送性の物質からなる有機材料で構成すると、有機キャッピング層１２８の有機材料が電子輸送層１２４へ拡散しても電子輸送層１２４の電子移動度を低下させたり正孔の陰極への漏洩を助長したりすることがないので、有機ＥＬ素子１０２の発光効率の低下及び駆動電圧の上昇が抑制されることが記載されている。そうすると、引用例において、陰極層１２６を薄くすると、有機キャッピング層の有機材料が電子輸送層１２４へ拡散しやすくなるものの、有機キャッピング層１２８を電子輸送層と同様の電子輸送性の物質からなる有機材料で構成すれば、有機キャッピング層１２８の有機材料が電子輸送層１２４へ拡散しても電子輸送層１２４の電子移動度を低下させたり正孔の陰極への漏洩を助長したりといった不具合が生じにくいといえる。そうすると、引用発明において、陰極層１２６の膜厚を例示された範囲の下限である１０ｎｍよりさらに薄くすることに阻害要因があるとはいえない。
　ウ　引用発明の陰極層１２６（カソード）は光を透過しやすくするために薄くすることが望ましいところ、上記イからみて、引用発明において、陰極層１２６をさらに薄くするとともに、その材料として銀を採用すること、具体的には、上記アで示した周知技術を適用することは当業者が適宜なし得たことである。そして、カソードの膜厚が１０ｎｍ未満であることに臨界的意義があるとはいえず、１０ｎｍを基準に９．９ｎｍであるか１０．１ｎｍであるかで、奏する効果に格別の相違があるともいえないから、カソードの膜厚の上限を「１０ｎｍ未満」とすることも当業者が適宜なし得たことである。
　エ　上記アのように、「透明」とは、可視光の透過度が５０％より高いものを意味するともいえ、可視光のうち中心波長範囲内にあるといえる波長５５０ｎｍにおいて、光透過率を５０％以上となすことは当業者であれば適宜なし得た事項である。
　オ　以上のとおりであるから、引用発明において、上記相違点１に係る本願発明の構成となすことは当業者が周知技術に基づいて適宜なし得たことである。
（２）上記相違点２について検討する。
　引用発明は、有機キャッピング層１２８の膜厚を上限として５００ｎｍまで許容するものであるが、その膜厚は、層の形成容易性、欠陥の発生可能性、あるいは、要求される光学性能等を考慮して適宜決定され得るものであるところ、上限の５００ｎｍを薄くして１８０ｎｍとすることは当業者が適宜なし得た設計的事項にすぎない。してみると、引用発明において、上記相違点２に係る本願発明の構成となすことは当業者が適宜なし得たことである。
（３）本願発明の奏する効果は、引用発明の奏する効果及び周知技術の奏する効果から予測することができた程度のものである。
　
（４）したがって、本願発明は、当業者が引用例に記載された発明及び周知技術に基づいて容易に発明をすることができたものである。
（５）審判請求人は審判請求書において、概ね、引用文献１（引用例）は、陰極層を薄くすると記載しているものの、１５ｎｍ未満とすることが好ましくないというものであり、１５ｎｍ未満とすることが好ましくないとする引用文献１に、それよりも膜厚が薄い引用文献２を組み合わせる根拠や動機付けはなく、組み合わせることは妥当でないと主張する。
　しかしながら、上記（１）イで述べたように、引用文献１に引用文献２（周知例１）を組み合わせることに阻害要因があるとはいえない。よって、請求人の主張を採用することができない。
　
７　むすび
　以上のとおり、本願発明は、当業者が、引用例に記載された発明及び周知技術に基づいて容易に発明をすることができたものであるから、特許法第２９条第２項の規定により特許を受けることができない。
　したがって、本願は、他の請求項について検討するまでもなく、拒絶すべきものである。
　よって、結論のとおり審決する。